(57)【要約】【課題】  小型化が追求されている携帯電話機にスピーカを実装する場合、実装上の都合からスピーカを筐体放音孔に対してずれて配置せざるを得ない場合に、スピーカの音質が劣化するという問題があった。【解決手段】  スピーカ振動板、このスピーカ振動板と対向する面に複数個形成されて音声を外部に出力するスピーカ放音孔を有するスピーカと、スピーカを内蔵する筐体と、複数設けられたスピーカ放音孔のうち、一部のスピーカ放音孔と対向する筐体上の所定位置に形成された筐体放音孔と、筐体放音孔と対向しない位置に形成されたスピーカ放音孔を塞ぐ閉塞部材とを設けた。【選択図】  図３
2005341402.tif 000002
【特許請求の範囲】
【請求項１】
外部から供給された電気信号に基づいて空気を振動させて音声を生成するスピーカ振動板、このスピーカ振動板を内蔵するスピーカ筐体の面のうち、前記スピーカ振動板と対向する面に複数個形成されて、前記スピーカ振動板が生成した音声を外部に出力するスピーカ放音孔を有するスピーカと、
このスピーカを内蔵する筐体と、
複数設けられた前記スピーカ放音孔のうち、一部の前記スピーカ放音孔と対向する前記筐体上の所定位置に形成されて、前記スピーカから出力された音声をさらに前記筐体外部に出力する筐体放音孔と、
複数設けられた前記スピーカ放音孔のうち、前記筐体放音孔と対向しない位置に形成された前記スピーカ放音孔を塞ぐ閉塞部材とを設けたことを特徴とする携帯電話機。
【請求項２】
閉塞部材は、スピーカと筐体間の空間において、筐体放音孔と対向していない位置にあるスピーカ放音孔を塞ぐ板状クッション部材であることを特徴とする請求項１に記載の携帯電話機。
【請求項３】
閉塞部材は、筐体と対向するスピーカの所定面に形成された複数の前記スピーカ放音孔の周囲を覆うように、前記筐体と密着するよう設けられたリング状のクッション部材であることを特徴とする請求項１に記載の携帯電話機。
【請求項４】
閉塞部材は、筐体放音孔と対向しない位置に形成されたスピーカ放音孔に対向する筐体の内壁位置において、前記スピーカ放音孔を塞ぐように形成されたことを特徴とする請求項１に記載の携帯電話機。
【請求項５】
外部から供給された電気信号に基づいて空気を振動させて音声を生成するスピーカ振動板、このスピーカ振動板を内蔵するスピーカ筐体の面のうち、前記スピーカ振動板と対向する面に少なくとも１箇所形成されて、前記スピーカ振動板が生成した音声を外部に出力するスピーカ放音孔を有するスピーカと、
このスピーカを内蔵する筐体と、
前記スピーカ放音孔と対向する前記筐体上の所定位置に形成されて、前記スピーカから出力された音声をさらに前記筐体外部に出力する筐体放音孔とを設けたことを特徴とする携帯電話機。
【発明の詳細な説明】
【技術分野】
【０００１】
本発明は、音声を出力するスピーカを備えた携帯電話機に関するものであり、特に、スピーカ位置に対応する筐体の所定位置に設けられて、スピーカからの音声を出力する筐体放音孔に対して、スピーカをずれて配置せざるを得ない場合に、スピーカからの出力音声の音質を改善した携帯電話機に関する。
【背景技術】
【０００２】
携帯電話機は、筐体に貫通穴が設けられ、筐体内部にスピーカが設けられている。スピーカから出力された音声は貫通穴を介して外部に放出される。特許文献１に記載の携帯電話機は、貫通穴とスピーカ間には、スピーカから出力された音声が効率よく貫通穴に伝達されるように、スピーカと貫通穴間で音路を形成するダクトが設けられている。
【０００３】
【特許文献１】特開２００１―１６８９６６号公報
【発明の開示】
【発明が解決しようとする課題】
【０００４】
ところで、小型化が追求されている携帯電話機にスピーカを実装する場合、実装上の都合から、筐体に設けられた筐体放音孔とスピーカの中心軸が一致するようにスピーカを設けることができない場合がある。このような場合、スピーカの振動板に対して筐体の放音孔が偏在した位置に配置されることになる。スピーカの振動板に対して筐体の放音孔が偏在すると、スピーカの振動板から出力された音が直接筐体放音孔から出力されずに、一部の音は筐体放音孔とスピーカ振動板の間の空間、いわゆる前気室で減衰されて周波数特性が劣化し、その結果、良好な音質が得られないという問題があった。本発明は、上記課題を解決するためになされたものであり、筐体放音孔とスピーカを偏在して実装せざるを得ない場合でも、スピーカからの出力音声の音質を改善した携帯電話機を提供することを目的とする。
【課題を解決するための手段】
【０００５】
本発明に係る携帯電話機は、外部から供給された電気信号に基づいて空気を振動させて音声を生成するスピーカ振動板、このスピーカ振動板を内蔵するスピーカ筐体の面のうち、スピーカ振動板と対向する面に複数個形成されて、スピーカ振動板が生成した音声を外部に出力するスピーカ放音孔を有するスピーカと、このスピーカを内蔵する筐体と、複数設けられたスピーカ放音孔のうち、一部のスピーカ放音孔と対向する筐体上の所定位置に形成されて、スピーカから出力された音声をさらに筐体外部に出力する筐体放音孔と、複数設けられたスピーカ放音孔のうち、筐体放音孔と対向しない位置に形成されたスピーカ放音孔を塞ぐ閉塞部材とを設けたものである。
【発明の効果】
【０００６】
本発明に係る携帯電話機は、外部から供給された電気信号に基づいて空気を振動させて音声を生成するスピーカ振動板、このスピーカ振動板を内蔵するスピーカ筐体の面のうち、スピーカ振動板と対向する面に複数個形成されて、スピーカ振動板が生成した音声を外部に出力するスピーカ放音孔を有するスピーカと、このスピーカを内蔵する筐体と、複数設けられたスピーカ放音孔のうち、一部のスピーカ放音孔と対向する筐体上の所定位置に形成されて、スピーカから出力された音声をさらに筐体外部に出力する筐体放音孔と、複数設けられたスピーカ放音孔のうち、筐体放音孔と対向しない位置に形成されたスピーカ放音孔を塞ぐ閉塞部材とを設けたので、スピーカ放音孔とスピーカ振動板間のスピーカ内部空間の圧力が高められ、閉塞部材により塞がれていないスピーカ放音孔から出力された音声の音圧が高められるので、スピーカの出力音声の音質が改善されるという効果を得ることができる。
【発明を実施するための最良の形態】
【０００７】
実施の形態１．
以下、この発明の実施の形態について説明する。図１は、本発明の実施の形態１に係る携帯電話機の外観を示す外観斜視図である。図１には、２つ折れ携帯電話機が折りたたまれた状態で示されており、筐体１０１上に筐体放音孔１０２、液晶窓１０４が設けられていることが示されている。図２は、図１に示す携帯電話機の分解斜視図である。図２において、図１と同一の符号は同一または相当部分を示すので説明は省略する。図２には、スピーカ１０５がリング状クッション１０６および板状クッション１０７を介して筐体１０１のスピーカ放音孔１０２が形成された位置に配置される一方、基板１０８と電気的に接続される構成が図示されている。また、液晶表示部材１０９と液晶窓１０４が対応するように筐体１０１が基板１０８側の筐体に組み付けられる。
【０００８】
図３は、図１および図２に示す携帯電話機のスピーカが配置された部分を示す断面図である。図３において、図１および図２と同一の符号は同一または相当部分を示すので説明は省略する。図３において、スピーカ１０５はスピーカ振動板１１０、スピーカ放音孔１１１から形成されている。また、このスピーカ１０５は基板１０８に接触しており、電気的に接続されている。スピーカ１０５はリング状クッション１０６および板状クッション１０７を介して筐体１０１の筐体放音孔１０２に対応する位置に設けられる。このリング状クッションはスピーカ１０５と筐体１０１に圧接されることにより、スピーカ１０５からの出力音声が筐体放音孔１０２以外から漏れることを防止している。
【０００９】
図３に示されるとおり、スピーカ１０５は、スピーカ振動板１１０の中心（図３上一点鎖線Ａで示される部分）位置と筐体放音孔１０２がずれた状態で配置されている。図３によると、３つのスピーカ放音孔１１１Ａ〜１１１Ｃのうち、ひとつのスピーカ放音孔１１１Ａのみが筐体放音孔１０２に面している構成を示すことにより、スピーカ１０５が筐体放音孔１０２に対してずれた状態で実装されていることが表わされている。本発明に係る携帯電話機は、スピーカ１０５と筐体１０１間の空間、つまり前気室１０３において、筐体放音孔１０２に面していないスピーカ放音孔１１１Ｂと１１１Ｃを、板状クッション１０７を用いて塞ぐことにより、スピーカ１０５の出力音声の音質を改善している。つまり、スピーカ振動板１１０の作用により生成された音声は、筐体放音孔１０２に面したスピーカ放音孔１１１Ａを経由して、筐体放音孔１０２から端末外部に出力される。
【００１０】
筐体放音孔１０２に面していない部位に位置するスピーカ放音孔１１１Ｂおよび１１１Ｃを、板状クッション１０７により塞ぐことにより、スピーカ振動板１１０の振動により生成された音声は板状クッション１０７で塞がれていないスピーカ放音孔１１１Ａのみから出力される。つまり、スピーカ振動板１１０で生成された音声がスピーカ１０５外部に出力されるスピーカ放音孔の数が減らされることによって、スピーカ放音孔１１１とスピーカ振動板１１０間のスピーカ１０５内部空間の圧力が高められる。その結果、板状クッション１０７により塞がれていないスピーカ放音孔１１１Ａから出力された音声の音圧が高められる。
【００１１】
スピーカ１０５から出力される音圧が高められると、所定周波数帯域の音域がより強調されるので、筐体放音孔１０２を経由して筐体外部に出力されるスピーカ１０５の音声の音質が改善される。また、筐体放音孔１０２と対向しない位置にあるスピーカ放音孔１１１Ｂと１１１Ｃを塞ぐように、板状クッション１０７をスピーカ１０５と筐体１０１間の空間（前気室１０３）に設けることにより、スピーカ放音孔１１１Ｂ、１１１Ｃから出力された音声が筐体放音孔１０２に至るまでに前気室１０３で減衰することが抑制される点も音質の改善に寄与している。
【００１２】
図４は本発明の実施の形態１に係る携帯電話機の出力音声の周波数特性を示す説明図である。図４において、破線は板状クッション１０７を設けない場合の周波数特性を示しており、実践は板状クッション１０７を設けた場合の周波数特性を示している。図４によると、板状クッション１０７を設けた場合、８００Ｈｚ〜３ｋＨｚの周波数帯域において、板状クッション１０７を設けない場合に比較しておよそ２ｄＢ程度音圧が上昇していることが示されている。したがって、上記説明のように、筐体放音孔１０２に面していないスピーカ放音孔１１１Ｂと１１１Ｃを、板状クッション１０７を用いて塞ぐ構成を採用することにより、スピーカ放音孔１１１とスピーカ振動板１１０間のスピーカ内部の空間で音圧が高められて、スピーカ１０５の出力音声の音質が改善されるという効果を得ることができる。
【００１３】
また、板状クッション１０７は、スピーカ１０５と筐体１０１間の空間（前気室）において、筐体放音孔１０２と対向していない位置にあるスピーカ放音孔１１１Ｂなどを塞ぐので、スピーカ１０５からの出力音声が筐体放音孔１０２から放出される前に前気室において減衰してしまうという問題を防止し、音質を改善できる。
【００１４】
実施の形態２．
図５は、本発明の実施の形態２に係る携帯電話機の構成を示す断面図である。図５において図３と同一の符号は同一または相当部分を示すので説明は省略する。実施の形態１において説明した図３による構成は、筐体放音孔１０２に対向しないスピーカ放音孔１１１Ｂと１１１Ｃを、板状クッション１０７を用いて塞いでいた。一方、以下説明する図５の構成は、板状クッション１０７に換えて、断面幅を拡張したリング状クッション１０６を用いてスピーカ放音孔１１１Ｂと１１１Ｃを塞ぐようにしたものである。
【００１５】
筐体放音孔１０２に対向しない位置にあるスピーカ放音孔１１１Ｂと１１１Ｃを、リング状クッション１０６を用いて塞ぐ図５に示す構成を採用した場合でも、スピーカ振動板１１０で生成された音声がスピーカ１０５外部に出力されるスピーカ放音孔の数が減らされるので、スピーカ放音孔１１１とスピーカ振動板１１０間のスピーカ１０５内部空間の圧力が高められ、板状クッション１０７により塞がれていないスピーカ放音孔１１１Ａから出力された音声の音圧が高められるという作用効果を奏する。また、スピーカ放音孔１１１Ｂ、１１１Ｃから出力された音声が筐体放音孔１０２に至るまでに前気室で減衰することが抑制される点も上記実施の形態１において説明した構成と同様である。
【００１６】
なお、実施の形態１と上記説明した実施の形態２では、筐体放音孔１０２に対向しない位置に形成されたスピーカ放音孔１１１Ｂと１１１Ｃを板状クッション１０７ないしリング状クッション１０６を用いて塞いでいた。しかし、板状クッション１０７ないしリング状クッション１０６ではなく、筐体１０１内部の前気室１０３内壁の形状を変更して、前気室１０３の内壁の形状を用いてスピーカ放音孔１１１Ｂと１１１Ｃを塞ぐようにしても同様の効果を得ることができる。
【００１７】
実施の形態３．
図６は、本発明の実施の形態３に係る携帯電話機の構成を示す断面図である。図６において図５と同一の符号は同一または相当部分を示すので説明は省略する。実施の形態１および実施の形態２において説明した図３および図５による構成は、筐体放音孔１０２に対向しないスピーカ放音孔１１１Ｂと１１１Ｃを、板状クッション１０７ないしリング状クッション１０６を用いて塞いでいた。一方、以下説明する図６の構成は、筐体放音孔１０２に対向しないスピーカ１０５上の位置に、スピーカ放音孔１１１を形成しないようにしたものである。
【００１８】
図６に示すように、スピーカ１０５は、筐体放音孔１０２に対向する位置に形成されたスピーカ放音孔１１１Ｄを有している。このスピーカ放音孔１１１Ｄは、筐体放音孔１０２に略対向する位置に形成されているものの、スピーカ１０５は、スピーカ振動板１１０の中心位置（一点鎖線Ａで示された位置）に対してずれた位置に配置されている。このような場合であっても、スピーカ振動板１１０で生成された音声がスピーカ１０５外部に出力されるスピーカ放音孔の数が減らされるので、スピーカ放音孔１１１とスピーカ振動板１１０間のスピーカ１０５内部空間の圧力が高められ、スピーカ放音孔１１１Ｄから出力された音声の音圧が高められるという作用効果を奏する。また、出力された音声が筐体放音孔１０２に至るまでに前気室で減衰することが抑制される点も上記実施の形態１において説明した構成と同様である。
【図面の簡単な説明】
【００１９】
【図１】図１は本発明の実施の形態１に係る携帯電話機の外観を示す外観斜視図である。
【図２】図２は本発明の実施の形態１に係る携帯電話機の分解斜視図である。
【図３】図３は本発明の実施の形態１に係る携帯電話機のスピーカが配置された部分を示す断面図である。
【図４】図４は本発明の実施の形態１に係る携帯電話機の出力音声の周波数特性を示す説明図である。
【図５】図５は本発明の実施の形態２に係る携帯電話機の構成を示す断面図である。
【図６】図６は本発明の実施の形態３に係る携帯電話機の構成を示す断面図である。
【符号の説明】
【００２０】
１０１  筐体、１０２  筐体放音孔、１０３  前気室、１０４  液晶窓、
１０５  スピーカ、１０６  リング状クッション、１０７  板状クッション、
１０８  基板、１０９  液晶表示部材、１１０  スピーカ振動板、
１１１  スピーカ放音孔
【図１】
2005341402.tif 000003
【図２】
2005341402.tif 000004
【図３】
2005341402.tif 000005
【図４】
2005341402.tif 000006
【図５】
2005341402.tif 000007
【図６】
2005341402.tif 000008